(57)【要約】【課題】  前方から操作される薄型のインクジェット式記録装置において、更なる小型化・薄型化を図る。【解決手段】  プリンタは、給紙用トレイ２０６と排紙用トレイ２２０とが一体化してなる用紙カセット２００を備えている。用紙カセット２００は、ケーシングの前方から抜き差しされる。排紙用トレイ２２０の後壁２６０には、前方に突出する突出片２５０と、用紙後端ガイド２５１を逃がす切り欠き２６１とが形成されている。排紙用トレイ２２０は、伸縮自在な第１〜第３トレイ２０１〜２０３から構成されている。ケーシング内における給紙用トレイ２０６の挿入通路の上方には、給紙用トレイ２０６の記録紙の収容枚数が多い場合に給紙用トレイ２０６の挿入を規制する規制リブが設けられている。【選択図】  図１５
2005049674.tif 000002
【特許請求の範囲】
【請求項１】
上下方向の長さが左右方向及び前後方向の長さに比べて短い略直方体形状からなるケーシングと、
前記ケーシングの前方から前記ケーシング内に抜き差しされ、１又は２以上の記録媒体を収容するカセットとを備えた記録装置であって、
前記カセットは、前記カセットから送り出された記録媒体が前記ケーシング内で詰まったときに、前記カセットが前記ケーシングから引き抜かれることによって前記記録媒体の一部を保持して前記ケーシングの前方に引き出す保持手段を備えている記録装置。
【請求項２】
上下方向の長さが左右方向及び前後方向の長さに比べて短い略直方体形状からなるケーシングと、
前記ケーシングの前方から前記ケーシング内に抜き差しされ、１又は２以上の記録媒体を収容するカセットとを備えた記録装置であって、
前記カセットは、前記記録媒体の後端に接触する接触壁と、前記接触壁の上部から前方に向かって突出する突部とを備えている記録装置。
【請求項３】
上下方向の長さが左右方向及び前後方向の長さに比べて短い略直方体形状からなるケーシングと、
前記ケーシングの前方から前記ケーシング内に抜き差しされるカセットであって、１又は２以上の記録媒体を収容する供給トレイと、前記供給トレイの前側に一体的に設けられると共に前記供給トレイから前方に引き出し自在に形成され、記録後の記録媒体を受け止める排出トレイとを有するカセットと、
前記排出トレイを引き出し自在に保ったまま前記カセットを前記ケーシング内にロックする第１ロック機構と、
前記第１ロック機構を解除するロック解除機構と、
を備えている記録装置。
【請求項４】
前記排出トレイを前記供給トレイにロックする第２ロック機構と、
前記第２ロック機構を解除するロック解除機構と、
を備えている請求項３に記載の記録装置。
【請求項５】
前記カセットにおける前記排出トレイを前方に引き出す際に生じる摩擦力は、前記カセットを前記ケーシングから引き抜く際に生じる摩擦力よりも大きく設定されている請求項３に記載の記録装置。
【請求項６】
上下方向の長さが左右方向及び前後方向の長さに比べて短い略直方体形状からなるケーシングと、
前記ケーシングの前方から前記ケーシング内に抜き差しされるカセットとを備えた記録装置であって、
前記カセットは、
１又は２以上の記録媒体を収容する供給トレイと、
前記供給トレイの底面に略直交する方向に延びて前記記録媒体の後端に接触し、前記供給トレイの底面を前後方向にスライド移動自在な後端規制部材と、
前記後端規制部材を逃がす切り欠きが形成された後壁と、
を備えている記録装置。
【請求項７】
前記後端規制部材は、前記記録媒体の後端に接触する接触壁と、前記接触壁の上部から前方に向かって突出する突部とを備えている請求項６に記載の記録装置。
【請求項８】
上下方向の長さが左右方向及び前後方向の長さに比べて短い略直方体形状からなるケーシングと、
前記ケーシングの前方から前記ケーシング内に抜き差しされ、複数の記録媒体を積層して収容する供給トレイと、
前記ケーシング内における前記供給トレイの挿入通路の上方に配置され、前記供給トレイ内の記録媒体の積層高さが所定高さ以上のときに、前記所定高さ以上の位置にある記録媒体と接触することによって前記ケーシングに対する前記供給トレイの挿入を規制する下向きの突起と、
を備えている記録装置。
【請求項９】
上下方向の長さが左右方向及び前後方向の長さに比べて短い略直方体形状からなり、前側に開口が形成されたケーシングと、
前記ケーシングの前方から前記開口を通じて前記ケーシング内に抜き差しされ、１又は２以上の記録媒体を収容する供給トレイを有するカセットと、
前記ケーシング内における前記供給トレイよりも前方に設けられた記録ヘッドとを備え、
前記記録媒体が前記記録ヘッドの後方の記録前位置から前記記録ヘッドの前方の記録後位置に移動する間に、前記記録ヘッドによって前記記録媒体に記録を行う記録装置であって、
前記開口から挿入された記録媒体を前記記録前位置に搬送する手差し用搬送機構を備えている記録装置。
【請求項１０】
前記手差し用搬送機構は、記録媒体の搬送方向を逆転自在に構成され、
前記開口から挿入された記録媒体が前記記録前位置に至るまでに通過する搬送径路は、前記記録前位置から前記記録後位置に至る搬送径路と同一である請求項９に記載の記録装置。
【請求項１１】
上下方向の長さが左右方向及び前後方向の長さに比べて短い略直方体形状からなり、前側に開口が形成されたケーシングと、
前記ケーシングの前方から前記ケーシング内に抜き差しされ、１又は２以上の記録媒体を収容する供給トレイを有するカセットとを備えた記録装置であって、
前記供給トレイの底板の前側には、前上がりに揺動自在な記録媒体持ち上げ板が設けられ、
前記記録媒体持ち上げ板における左右方向の少なくとも一端部には、前記記録媒体持ち上げ板の上方において側方に突出する突出片が設けられ、
前記ケーシングの底板における前記供給トレイの側方に、前記突出片を持ち上げる上昇力付与部材が設けられている記録装置。
【発明の詳細な説明】
【技術分野】
【０００１】
本発明は、記録装置に関する。
【背景技術】
【０００２】
従来より、インクジェット式の記録ヘッドを備えた記録装置は、例えばパーソナルコンピュータ用のプリンタ等として、よく用いられている。しかし、従来のプリンタの多くは、設置場所として十分な広さの空間を必要とするものであり、例えばパソコンラック等のように、設置面の上方に十分なスペースが確保されている場所にしか設置することができなかった。しかし今後は、プリンタの利用対象はパーソナルコンピュータ等に限らず、例えばテレビやビデオなど、幅広い範囲に拡大していくことが予想される。
【０００３】
そこで、テレビ用ラックやオーディオラック等のような上方に十分なスペースのない設置場所にも設置可能なように、薄型のプリンタが提案されている（例えば特許文献１及び２参照）。この種のプリンタは、オーディオ機器などに対応した形状及び寸法からなる薄型のケーシングを備え、排紙トレイや給紙トレイ等は、利用者がケーシングの前方から操作ができるように構成されている。
【特許文献１】特開２００１−１９１６１３号公報
【特許文献２】特開２００１−２１３０１９号公報
【発明の開示】
【発明が解決しようとする課題】
【０００４】
しかし、プリンタの小型化・薄型化の要請は、より一層高まっている。ところが、従来の技術では、以下に説明するような種々の原因により、更なる小型化や薄型化を実現することは困難であった。
【０００５】
例えば、前方から操作する薄型のプリンタでは、プリンタ内部に用紙が詰まった場合には、プリンタの前方に設けられたカバーを開いたうえで前方からプリンタ内部に手を挿入し、詰まった記録紙を取り除かなければならなかった。ところが、プリンタの薄型化が進むと、手を挿入するスペースはより一層小さくなり、記録紙を取り除く処理（ジャム処理）は益々困難となる。そのため、ジャム処理の観点から、薄型化には一定の限界があった。
【０００６】
小型化・薄型化のためには、給紙トレイと排紙トレイとの機能を兼ね備えた用紙カセットを用いることが好ましい。しかし、このような用紙カセットを用いる場合、排紙の際には排紙トレイのみを引き出す一方、給紙の際には、用紙カセットの全体を引き出す必要がある。そのため、排紙の際に用紙カセットの全体が引き出されること等がないよう、用紙カセットに何らかの工夫を施す必要がある。しかし、従来技術では、そのような工夫を施すためにプリンタの薄型化が制限されていた。
【０００７】
図３０に示すように、給紙トレイ１００１に異なるサイズの用紙を収容可能とするために、用紙の後端を整えるスライド自在な用紙後端ガイド１００６を給紙トレイ１００１内に設ける場合がある。ところが、用紙の後端は用紙後端ガイド１００６の縦壁の内側面と接触するため、給紙トレイ１００１の後壁１００１Ａは、用紙後端ガイド１００６の厚み分だけ、用紙の後端よりも後方に位置していた。このように従来のプリンタでは、給紙トレイ１００１の後壁１００１Ａがある程度後方に位置しており、この点からもプリンタの小型化に制約があった。
【０００８】
また、薄型化が進むと、プリンタ内部における給紙トレイの上方スペースが狭くなる。そのため、給紙トレイに規定量以上の用紙が収容された場合に、プリンタ内部で用紙が詰まりやすくなる。そこで従来は、用紙が詰まらないように、給紙トレイの上方に一定のスペースを確保しなければならなかった。したがって、更なる薄型化は困難であった。
【０００９】
一般に、プリンタには、給紙トレイ以外の箇所から用紙を挿入して記録を行ういわゆる手差し印刷の機能が求められる場合が多い。従来は、排紙トレイとは別に、手差し用トレイを設けていた。しかし、前方から操作することを前提とした薄型のプリンタでは、前方から用紙を挿入することになる。そのため、手差し用トレイを配置するためには、プリンタの前面面積を大きくする必要がある。したがって、前面面積を大きくする必要上、プリンタの薄型化は困難となった。
【００１０】
また、図３１に示すように、給紙トレイ１００１に収容された用紙を記録ヘッドやプラテン１００３の近傍に導くために、給紙トレイ１００１の前側に、揺動自在な用紙持ち上げ板１００２を設ける場合がある。従来のプリンタでは、用紙持ち上げ板１００２を揺動させるために、用紙持ち上げ板１００２とベース板金１００５との間に、揺動自在な揺動板金１００４を配置していた。しかし、揺動板金１００４を設置するスペースが必要な分だけ、プリンタの薄型化は困難となっていた。
【００１１】
本発明は、かかる点に鑑みてなされたものであり、その目的とするところは、前方から操作される薄型の記録装置において、更なる小型化・薄型化を図ることにある。
【課題を解決するための手段】
【００１２】
本発明に係る記録装置は、上下方向の長さが左右方向及び前後方向の長さに比べて短い略直方体形状からなるケーシングと、前記ケーシングの前方から前記ケーシング内に抜き差しされ、１又は２以上の記録媒体を収容するカセットとを備えた記録装置であって、前記カセットは、前記カセットから送り出された記録媒体が前記ケーシング内で詰まったときに、前記カセットが前記ケーシングから引き抜かれることによって前記記録媒体の一部を保持して前記ケーシングの前方に引き出す保持手段を備えているものである。
【００１３】
上記記録装置では、カセットから送り出された記録紙がケーシング内で詰まった場合、カセットをケーシングから引き抜くことにより、その記録紙の一部は保持手段に保持され、カセットと共にケーシングの前方に引き出される。そのため、ユーザは、ケーシングの外部に露出した記録紙の一部分をつまんで引き出すことにより、記録紙全体をケーシングから容易に除去することができる。したがって、ジャム処理のためにケーシング前面の開口を大きくする必要がないため、記録装置のより一層の薄型化を図ることができる。
【００１４】
本発明に係る他の記録装置は、上下方向の長さが左右方向及び前後方向の長さに比べて短い略直方体形状からなるケーシングと、前記ケーシングの前方から前記ケーシング内に抜き差しされ、１又は２以上の記録媒体を収容するカセットとを備えた記録装置であって、前記カセットは、前記記録媒体の後端に接触する接触壁と、前記接触壁の上部から前方に向かって突出する突部とを備えているものである。
【００１５】
上記記録装置では、カセットから送り出された記録紙がケーシング内で詰まった場合、カセットをケーシングから引き抜くと、記録紙はその後端部が突部によって引っかけられ、カセットと共にケーシングの前方に引き出される。したがって、ケーシング前面の開口を大きくしなくても、ユーザはジャム処理を行うことができるため、記録装置のより一層の薄型化を図ることができる。
【００１６】
本発明に係る他の記録装置は、上下方向の長さが左右方向及び前後方向の長さに比べて短い略直方体形状からなるケーシングと、前記ケーシングの前方から前記ケーシング内に抜き差しされるカセットであって、１又は２以上の記録媒体を収容する供給トレイと、前記供給トレイの前側に一体的に設けられると共に前記供給トレイから前方に引き出し自在に形成され、記録後の記録媒体を受け止める排出トレイとを有するカセットと、前記排出トレイを引き出し自在に保ったまま前記カセットを前記ケーシング内にロックする第１ロック機構と、前記第１ロック機構を解除するロック解除機構と、を備えているものである。
【００１７】
上記記録装置では、排出トレイを前方に引き出す際には、第１ロック機構がカセットをロックする。そのため、排出トレイを前に引き出したときに、カセット全体がケーシングから引き抜かれることは防止される。一方、供給トレイに記録媒体を供給する場合、第１ロック機構は解除され、カセットの全体がケーシングから引き抜かれる。
【００１８】
上記記録装置は、前記排出トレイを前記供給トレイにロックする第２ロック機構と、前記第２ロック機構を解除するロック解除機構とを備えていてもよい。
【００１９】
このことにより、排出トレイをロックすることにより、排出トレイを引き出すだけでカセットを容易に抜き出すことができる。
【００２０】
上記記録装置において、前記カセットにおける前記排出トレイを前方に引き出す際に生じる摩擦力は、前記カセットを前記ケーシングから引き抜く際に生じる摩擦力よりも大きく設定されていてもよい。
【００２１】
このことにより、第１ロック機構が解除されているときに排出トレイを前方に引っ張ると、排出トレイだけでなくカセット全体が前方に引き出される。したがって、排出トレイをロックするためのロック機構を設ける必要がなくなる。このように摩擦力の差を利用することにより、排出トレイを引き出すだけでカセット全体を容易に引き抜くことができる。
【００２２】
本発明に係る他の記録装置は、上下方向の長さが左右方向及び前後方向の長さに比べて短い略直方体形状からなるケーシングと、前記ケーシングの前方から前記ケーシング内に抜き差しされるカセットとを備えた記録装置であって、前記カセットは、１又は２以上の記録媒体を収容する供給トレイと、前記供給トレイの底面に略直交する方向に延びて前記記録媒体の後端に接触し、前記供給トレイの底面を前後方向にスライド移動自在な後端規制部材と、前記後端規制部材を逃がす切り欠きが形成された後壁とを備えているものである。
【００２３】
上記記録装置では、供給トレイに収容する記録媒体の大きさに応じて後端規制部材を前後方向に移動させ、後端規制部材によって記録媒体の後端が揃えられる。カセットの後壁には後端規制部材を逃がす切り欠きが形成されているので、後端規制部材を最後部の位置にスライドさせたときであっても、後端規制部材と後壁との重なり部分は生じない。そのため、後端規制部材の厚み分だけ後壁を前方に配置することができるので、カセットの前後方向長さを短縮することができる。したがって、記録装置の一層の小型化を図ることができる。
【００２４】
前記後端規制部材は、前記記録媒体の後端に接触する接触壁と、前記接触壁の上部から前方に向かって突出する突部とを備えていることが好ましい。
【００２５】
このことにより、記録紙がケーシング内で詰まった場合、カセットをケーシングから引き抜くことにより、その記録紙の一部は上記突起に引っかかり、カセットと共にケーシングの前方に引き出される。そのため、ジャム処理が容易になる。
【００２６】
本発明に係る他の記録装置は、上下方向の長さが左右方向及び前後方向の長さに比べて短い略直方体形状からなるケーシングと、前記ケーシングの前方から前記ケーシング内に抜き差しされ、複数の記録媒体を積層して収容する供給トレイと、前記ケーシング内における前記供給トレイの挿入通路の上方に配置され、前記供給トレイ内の記録媒体の積層高さが所定高さ以上のときに、前記所定高さ以上の位置にある記録媒体と接触することによって前記ケーシングに対する前記供給トレイの挿入を規制する下向きの突起とを備えているものである。
【００２７】
上記記録装置では、供給トレイに過剰な記録媒体を収容した場合、ケーシングに対する供給トレイの挿入が規制される。そのため、ユーザは記録媒体を過剰に収容したことを容易に認識することができる。供給トレイに過剰な記録媒体が収容されている場合には、記録媒体はケーシング内で詰まりやすい。しかし、上記記録装置では、供給トレイに過剰な記録媒体が収容されないので、装置が薄型であっても記録媒体の詰まりは生じにくくなる。したがって、記録装置の更なる薄型化を図ることができる。
【００２８】
本発明に係る他の記録装置は、上下方向の長さが左右方向及び前後方向の長さに比べて短い略直方体形状からなり、前側に開口が形成されたケーシングと、前記ケーシングの前方から前記開口を通じて前記ケーシング内に抜き差しされ、１又は２以上の記録媒体を収容する供給トレイを有するカセットと、前記ケーシング内における前記供給トレイよりも前方に設けられた記録ヘッドとを備え、前記記録媒体が前記記録ヘッドの後方の記録前位置から前記記録ヘッドの前方の記録後位置に移動する間に、前記記録ヘッドによって前記記録媒体に記録を行う記録装置であって、前記開口から挿入された記録媒体を前記記録前位置に搬送する手差し用搬送機構を備えているものである。
【００２９】
上記記録装置では、記録媒体を手差しする場合には、カセットを挿入するための開口を通じて記録媒体が挿入される。そのため、専用の手差し用トレイが不要であり、ケーシングの前面面積を小さく抑えることができる。したがって、記録装置のより一層の薄型化・小型化を図ることができる。
【００３０】
前記手差し用搬送機構は、記録媒体の搬送方向を逆転自在に構成され、前記開口から挿入された記録媒体が前記記録前位置に至るまでに通過する搬送径路は、前記記録前位置から前記記録後位置に至る搬送径路と同一であってもよい。
【００３１】
このことにより、記録装置の薄型化・小型化が図られる。
【００３２】
本発明に係る他の記録装置は、上下方向の長さが左右方向及び前後方向の長さに比べて短い略直方体形状からなり、前側に開口が形成されたケーシングと、前記ケーシングの前方から前記ケーシング内に抜き差しされ、１又は２以上の記録媒体を収容する供給トレイを有するカセットとを備えた記録装置であって、前記供給トレイの底板の前側には、前上がりに揺動自在な記録媒体持ち上げ板が設けられ、前記記録媒体持ち上げ板における左右方向の少なくとも一端部には、前記記録媒体持ち上げ板の上方において側方に突出する突出片が設けられ、前記ケーシングの底板における前記供給トレイの側方に、前記突出片を持ち上げる上昇力付与部材が設けられているものである。
【００３３】
上記記録装置では、上昇力付与部材が上記突出片を持ち上げることにより、記録媒体持ち上げ板が揺動し、記録媒体の前側部分が持ち上げられる。上記記録装置によれば、記録媒体持ち上げ板を揺動させる部材を記録媒体持ち上げ板とケーシングの底板との間に配置する必要がないため、記録装置の薄型化を図ることができる。
【発明の効果】
【００３４】
以上のように、本発明によれば、前方から操作する薄型の記録装置において、より一層の薄型化又は小型化を図ることが可能となる。
【００３５】
すなわち、ケーシングからカセットを引き抜くことによってジャム処理を容易に行うことを可能とすることにより、ジャム処理のためにケーシング前面の開口を大きくする必要がなくなり、記録装置の薄型化を図ることができる。
【００３６】
また、装置を大型化することなく、供給トレイと排出トレイとが一体化されてなるカセットの利便性を向上させることができる。
【００３７】
また、供給トレイの後壁に後端規制部材を逃がす切り欠きを設けることにより、カセットの前後方向長さを短縮することができ、装置の小型化を図ることができる。
【００３８】
トレイに過剰な記録媒体が収納されることを防止することができ、ケーシング内において記録媒体が詰まりにくいため、記録装置の薄型化を図ることができる。
【００３９】
専用の手差し用トレイがなくても記録媒体を手差し挿入することができるので、ケーシングの前面面積を小さくすることが可能となり、記録装置の薄型化を図ることができる。
【００４０】
記録媒体持ち上げ板を揺動させる上昇力付与部材を供給トレイの側方に配置することにより、記録媒体持ち上げ板を揺動させる部材を記録媒体持ち上げ板とケーシングの底板との間に配置する必要がなくなり、記録装置の薄型化を図ることができる。
【発明を実施するための最良の形態】
【００４１】
以下、本発明の実施形態を図面に基づいて詳細に説明する。
【００４２】
＜実施形態１＞
図１及び図２に示すように、実施形態に係るインクジェット式記録装置は、オーディオラック５等にも収容容易な薄型のプリンタ１である。
【００４３】
ケーシング１０はいわゆる薄型のケーシングであり、高さ方向の長さが左右方向及び前後方向の長さに比べて短い略直方体形状に形成されている。ここでは、高さ方向の長さは、左右方向長さの１／４以下、前後方向長さの１／３以下となっている。ケーシング１０の左右方向中央部の前方から上方にかけては、手差し給紙やインクカートリッジ７５０（図５参照）の交換等のための開口３０が形成されている。ケーシング１０の前面及び上面には、開口３０を覆う開閉自在なカバー３３が設けられている。
【００４４】
なお、以下の説明では、開口３０の左右方向と直交する方向（すなわち、上下方向及び前後方向）を「縦方向」と称することとする。
【００４５】
ケーシング１０の前面における開口３０の左側及び右側には、それぞれ左側パネル４１及び右側パネル４２が設けられている。左側パネル４１及び右側パネル４２には、操作スイッチが設けられている。なお、右側パネル４２には、用紙カセット２００を前方に排出する用紙カセット取り出しボタン４４と、後述するカートリッジホルダ７００（図５参照）を移動させるカートリッジホルダスイッチ４３とが配置されている。
【００４６】
カバー３３は、ヒンジ機構で連結された前カバー３１及び上カバー３２からなっており、折り畳み自在に形成されている。前カバー３１は断面Ｌ型の板状体からなり、開口３０の前方から上方の一部を覆っている。前カバー３１の下部には、用紙カセット２００を挿通させる左右方向に細長い開口３０Ａが形成されており、前カバー３１を閉じた状態のままで用紙カセット２００の抜き差しが自在になっている。上カバー３２は平板状の板状体からなり、開口３０の上方の一部を覆っている。上カバー３２の縦方向長さ（前後方向長さ）は、開口３０の上面長さの１／３〜２／３が好ましく、１／２であることが特に好ましい。これは、カバー３３の開閉動作に際して、カバー３３の上方への突出量をできるだけ抑えるためである。カバー３３の上方への突出量を少なくすることにより、上方に大きなスペースのない箇所にもプリンタ１を設置することが可能となる。
【００４７】
次に、プリンタ１の内部構造を説明する。図５に示すように、ケーシング１０の内部には、記録部１００と、用紙カセット２００と、複数のインクカートリッジ７５０を保持するインクカートリッジホルダ７００とが設けられている。本プリンタ１は、インクカートリッジ７５０をキャリッジ１０２とは別の箇所に装着するいわゆるオフキャリッジ式の記録装置である。
【００４８】
記録部１００は、インクジェット式の記録ヘッド１０１（図７及び図８参照）と、記録ヘッド１０１にインクを供給するサブタンク１０４と、記録ヘッド１０１及びサブタンク１０４を搭載するキャリッジ１０２と、記録ヘッド１０１と対向するプラテン１０３（図７及び図８参照）とを備えている。
【００４９】
ケーシング１０内部の左右両側には、前後方向に延びるサイドフレーム２１，２２が設けられている。サイドフレーム２１，２２のやや前側には、左右方向に延びるキャリッジ軸２３が前後方向に２本固定されている。キャリッジ１０２には図示しない駆動機構が設けられ、キャリッジ１０２はこの駆動機構によってキャリッジ軸２３に沿って往復移動する。
【００５０】
図７及び図８に示すように、プラテン１０３の後方には搬送ローラ２４が設けられ、プラテン１０３の前方には排紙ローラ２５が設けられている。搬送ローラ２４の上方には、当該搬送ローラ２４と対向するピンチローラ２６が配置され、排紙ローラ２５の上方には、当該排紙ローラ２５と対向する拍車ローラ２７が配置されている。また、搬送ローラ２４の後方には、給紙ローラ２９が設けられている。用紙カセット２００内の記録紙５０は、給紙ローラ２９によって取り出された後、搬送ローラ２４によって記録ヘッド１０１とプラテン１０３との間に搬送される。そして、記録ヘッド１０１によって記録が行われた後、記録紙５０は排紙ローラ２５によって前方に送り出され、ケーシング１０の外部に排出される。なお、符号５２は分離パッドである。
【００５１】
図１３に示すように、給紙ローラ２９と搬送ローラ２４との間には、用紙レバー４９Ａと、用紙レバー４９Ａの回転を検知する検知センサ５１（図１３以外では図示省略。）とが設けられている。用紙レバー４９Ａは、記録紙５０の搬送が開始されると、記録紙５０の先端によって回転方向の力を受け、回転する（図１３における時計回り方向に回転する）。そして、記録紙５０の搬送中は、回転後の状態が維持される。用紙レバー４９Ａは、図示しないバネによって復元力を受けている。そのため、用紙レバー４９Ａは、記録紙５０の後端が通過するとバネの復元力によって反対方向に回転し（図１３における反時計回り方向に回転する）、元の位置に戻る。検知センサ５１は、用紙レバー４９Ａが回転した状態になるとＯＮとなり、元の位置に戻るとＯＦＦとなる。したがって、記録紙５０が給紙ローラ２９と搬送ローラ２４との間を通過している間は検知センサ５１がＯＮとなり、記録紙５０が通過した後には検知センサ５１はＯＦＦとなる。
【００５２】
本プリンタ１では、上記検知センサ５１が連続的にＯＮとなっている時間又はその間の搬送ローラ２４の回転量等に基づいて、記録紙５０の搬送量が検出される。記録紙５０の搬送量は記録紙５０のサイズによって一義的に定まる所定量であるため、検出した搬送量が所定量を超えている場合には、紙詰まりが生じたと推定される。本実施形態では、このようにして紙詰まり（ジャム）の検知を行うこととしている。したがって、用紙レバー４９Ａ及び検知センサ５１は、ジャム検知装置を構成している。ただし、紙詰まりを検知する手段（ジャム検知手段）は、上記構成のものに限定されず、他の構成のものを採用することも勿論可能である。
【００５３】
なお、ジャムの発生の有無は、ケーシング１０のパネル４１，４２上の表示部に表示してもよく、プリンタ１に接続されたパーソナルコンピュータやテレビ等に表示してもよい。また、音声等によって通知するようにしてもよい。ジャムの通知方法は、何ら限定されるものではない。
【００５４】
図５に示すように、用紙カセット２００は、ケーシング１０内部の底部に配置され、ケーシング１０に対して着脱自在に取り付けられている。用紙カセット２００の横幅はケーシング１０の横幅よりも短い。したがって、ケーシング１０内の用紙カセット２００の左右両側には、ある程度の空きスペースが形成されている。また、用紙カセット２００の前後方向長さは、ケーシング１０の側面の前後方向長さよりも長い。したがって、装着時には用紙カセット２００の後端部はケーシング１０の側面よりも後方にはみ出し、ケーシング１０の背面の突出部１３に覆われる（図１参照）。
【００５５】
図１４及び図１５に示すように、用紙カセット２００の後側には、記録前の記録紙５０を蓄える給紙用トレイ２０６が形成され、用紙カセット２００の前側には、記録後の記録紙５０を支持する伸縮自在な排紙用トレイ２２０が形成されている。これら給紙用トレイ２０６と排紙用トレイ２２０とは、一体的に組み立てられている。用紙カセット２００の左右両側には、前後方向に延びる突出片２５２が設けられている。用紙カセット２００が抜き差しされる際には、突出片２５２は、ケーシング１０内に設けられた図示しないカセットガイド内を前後方向にスライドする。これにより、抜き差しに際して、用紙カセット２００は所定の位置に案内される。
【００５６】
図１５に示すように、排紙用トレイ２２０は、上下に重ねられた第１トレイ２０１、第２トレイ２０２及び第３トレイ２０３からなり、前後方向に伸縮自在に構成されている。記録紙５０に記録を行う際には、記録ヘッド１０１による記録動作に先立って、ユーザが第３トレイ２０３の前側に設けられた把手部２０５をつかみ、第３トレイ２０３を前方に引き出す（図３参照）。それにより、第１〜第３トレイ２０１〜２０３はそれぞれ前方にスライドし、排紙用トレイ２２０は展開してケーシング１０の前方に突出する（図４参照）。
【００５７】
図１６に示すように、各トレイ２０１〜２０３の表面の後側には、上向きに突出する突起を有するロック爪２６２が形成されている。一方、図１７に示すように、給紙用トレイ２０６の前側部分２０４及び第１〜第２トレイ２０１〜２０２の裏面には、ロック爪２６２と係合する第１ロック溝２６４と第２ロック溝２６３とが設けられている。第１ロック溝２６４は、各トレイ２０１〜２０３が収納状態にあるときに各ロック爪２６２と係合する溝である。第１ロック溝２６４内の前側は傾斜面となっており、各トレイ２０１〜２０３に前向きの力が加えられると、ロック爪２６２は上記傾斜面を滑ることにより、ロックが解除される。第２ロック溝２６３は、各トレイ２０１〜２０３が前方に移動した際に、その連結が外れないように規制する規制手段を形成している。第２ロック溝２６３の内部には、後ろ向きに突出する突起２６３ａが設けられており、ロック爪２６２が第２ロック溝２６３と係合すると、上記突起２６３ａによってロック爪２６２の前方への移動が規制される。
【００５８】
なお、ロック爪２６２の個数や形状等は、何ら限定されるものではない。各トレイ２０１〜２０３の離脱を阻止するための規制手段は、ロック爪２６２とロック溝２６３とからなるものに限定されず、他の手段を用いることも勿論可能である。
【００５９】
排紙用トレイ２２０を構成するトレイの個数は、３個に限らず、１又は２個であってもよく、４個以上であってもよい。排紙用トレイ２２０の伸縮構造は、上述した構造に限定されるものではない。
【００６０】
用紙カセット２００においては、排紙用トレイ２２０を展開する際に生じる摩擦力は、用紙カセット２００をケーシング１０から引き抜く際に生じる摩擦力よりも大きく設定されている。したがって、用紙カセット２００のロックが解除されている場合、用紙カセット２００の把手部２０５を前方に引き出すと、排紙用トレイ２２０は展開せずに、用紙カセット２００の全体が引き抜かれることになる。
【００６１】
図１４に示すように、給紙用トレイ２０６の底面には、給紙用トレイ２０６のやや右側において前後方向に延びる第１スライド溝２５４と、給紙用トレイ２０６のやや前側において左右方向に延びる第２スライド溝２５８とが形成されている。第１スライド溝２５４には、記録紙５０の後端を揃える用紙後端ガイド２５１がスライド自在にはめ込まれ、第２スライド溝２５８には、記録紙５０の左端を揃える用紙左端ガイド２５７がスライド自在にはめ込まれている。用紙後端ガイド２５１及び用紙左端ガイド２５７は、それぞれ記録紙５０の後端及び左端に接触するように記録紙５０の用紙サイズに応じてスライドされ、給紙用トレイ２０６内の記録紙５０を揃った状態に整える。
【００６２】
用紙後端ガイド２５１は、前方に開いた断面コ字型に形成されている。第１スライド溝２５４の前側には、用紙後端ガイド２５１の前方への移動を規制する規制爪２５５が設けられ、第１スライド溝２５４の後側には、用紙後端ガイド２５１の後方への移動を規制する規制爪２５６が設けられている。これら規制爪２５５，２５６により、用紙後端ガイド２５１は第１スライド溝２５４から外れないように構成されている。
【００６３】
第１スライド溝２５４の後端部は給紙用トレイ２０６の後壁２６０にまで延びており、この後壁２６０には、用紙後端ガイド２５１を後方に逃がす切り欠き２６１が形成されている。用紙後端ガイド２５１が切り欠き２６１内に挿入されて規制爪２５６と係合すると、用紙後端ガイド２５１の内面は後壁２６０の内面と略面一になる。また、用紙後端ガイド２５１の縦壁の厚みは給紙用トレイ２０６の後壁２６０の厚みとほぼ同一であり、用紙後端ガイド２５１の背面も後壁２６０の外面と略面一の状態となる（図９参照）。
【００６４】
図１４に示すように、第２スライド溝２５８には、用紙左端ガイド２５７の右方への移動を規制する規制爪２５９が設けられている。これにより、用紙左端ガイド２５７も第２スライド溝２５８から外れないように構成されている。
【００６５】
給紙用トレイ２０６の後壁２６０には、前方に突出する突出片２５０が設けられている。本実施形態では、突出片２５０は左右方向に複数個配置されている。これら突出片２５０は、後壁２６０の上部から前方に張り出し、いわゆるオーバーハングを形成している。突出片２５０は、用紙カセット２００を引き抜く際に記録紙５０の後端部を保持する保持手段を構成している。
【００６６】
図２０及び図２１に示すように、用紙カセット２００の右端の後側には、前向きに凹んだ段差部２６５が形成されている。ケーシング１０のベース板金２６６には、段差部２６５に当接して段差部２６５を前向きに付勢するばね２５３が取り付けられている。したがって、用紙カセット２００はばね２５３によって前向きに付勢されている。
【００６７】
ベース板金２６６の右前側には、第１ロック機構として、用紙カセット２００をロックするロックレバー４５が設けられている。ロックレバー４５は平面視略Ｌ字型に形成され、その中央部において、ベース板金２６６から上方に延びる回転軸４７に回転自在に支持されている。ロックレバー４５の先端は鉤爪状に屈曲しており、用紙カセット２００をロックする際には、用紙カセット２００の右前側に形成されたロック溝４８内にはまり込む。ロックレバー４５の他端は、前後方向に延びるカセット取り出しロッド４９に回転自在に支持されている。なお、カセット取り出しロッド４９の前側は、用紙カセット取り出しボタン４４を形成している。ロックレバー４５の他端側は、ベース板金２６６側に設けられたばね４６によって前向きに付勢されている。これにより、ロックレバー４５には、用紙カセット２００をロックする方向（回転軸４７を中心とした平面視時計回り方向。以下、ロック方向という）の付勢力が作用している。
【００６８】
用紙カセット２００をケーシング１０から引き抜く際には、ユーザは用紙カセット取り出しボタン４４を後ろ向きに押し込む。その結果、ばね４６の付勢力に抗してロックレバー４５が平面視反時計回り方向（以下、反ロック方向という）に回転し、ロックレバー４５の先端が用紙カセット２００のロック溝４８から外れる。これにより、用紙カセット２００のロックが解除される。このように、用紙カセット取り出しボタン４４及びカセット取り出しロッド４９は、ロック解除機構を構成している。用紙カセット２００はばね２５３により前向きに付勢されているので、ロックが解除されると、用紙カセット２００は前方に排出される。したがって、ユーザが用紙カセット取り出しボタン４４を押し込むと、用紙カセット２００は自動的に排出されることになる。
【００６９】
一方、用紙カセット２００をケーシング１０に収容する際には、ユーザは用紙カセット２００を後方に向かって挿入する。この際、ロックレバー４５は用紙カセット２００の右側面と接触し、当該右側面に押されることによって反ロック方向に回転する（図２１参照）。そして、用紙カセット２００の全体が挿入されると、ロックレバー４５の先端がロック溝４８にはまり込み、用紙カセット２００は自動的にロックされる。
【００７０】
図５に示すように、カートリッジホルダ７００は、複数のインクカートリッジ７５０を着脱自在に保持する保持部材である。本プリンタ１では、カートリッジホルダ７００には、それぞれブラック、シアン、マゼンタ、イエロー、ライトシアン、及びライトマゼンタのインクを収容した複数のインクカートリッジ７５０が取り付けられている。
【００７１】
カートリッジホルダ７００は、前後方向に移動自在に構成されている。ここでは、最も前方の位置をホーム位置といい、最も後方の位置を退避位置という。
【００７２】
カートリッジホルダ７００の右側には鋸歯が形成されており、この鋸歯はラック７０４を構成している。また、カートリッジホルダ７００の前面中央部の下側には、前方に突出した上つまみ７０９及び下つまみ７１１が設けられている。
【００７３】
左側サイドフレーム２１の内側（右側）及び右側サイドフレーム２２の内側（左側）には、カートリッジホルダ７００をスライド移動自在に保持するホルダーガイド７４１，７４２が設けられている。ホルダーガイド７４１，７４２には、カートリッジホルダ７００と係合する前後方向に延びる溝７４３が形成されている。
【００７４】
右側サイドフレーム２２の上端部には、内側（左側）に延びるフレーム２２Ａが設けられている。このフレーム２２Ａには、図示しないモータに連結されたモータピニオン７１４が配置されている。また、ホルダーガイド７４２には、モータピニオン７１４と噛み合うギア７１５と、ギア７１５と噛み合うギア７１６とが設けられている。ギア７１６は、カートリッジホルダ７００のラック７０４と噛み合っている。したがって、モータピニオン７１４の回転に伴って、カートリッジホルダ７００は前後方向に移動することになる。これらモータピニオン７１４及びギア７１５，７１６は、カートリッジホルダ７００を前後移動させる駆動機構７９０を構成している。なお、モータピニオン７１４は、カートリッジホルダスイッチ４３（図１参照）によって操作される。
【００７５】
ホルダーガイド７４２には、後ろ向きに延びるコイルバネ７１７が設けられており、カートリッジホルダ７００にはコイルバネ７１７に当接する当て板７１８が形成されている。ホーム位置にあっては、コイルバネ７１７は当て板７１８によって前方に押し込まれ、収縮した状態となる。したがって、カートリッジホルダ７００がホーム位置にあるときには、コイルバネ７１７は当て板７１８に対し後方への付勢力を与え、カートリッジホルダ７００は後方に向かう力を受ける。
【００７６】
ホルダーガイド７４１，７４２の前側には、内方に突出するロックピン７１９がそれぞれ設けられている。ロックピン７１９は、カートリッジホルダ７００がホーム位置にあるときに、ロックレバー７１２を係止するものである。このように、ロックレバー７１２とロックピン７１９とは、カートリッジホルダ７００をホーム位置にロックするロック機構を構成している。ロックレバー７１２の先端側は、いったん前方に向かってから下方に向けて屈曲しており、下方に向かって湾曲した先端部分の前側には、傾斜面からなるすべり面が形成されている。ロックレバー７１２は、カートリッジホルダ７００が前方に向かって移動しているときにロックピン７１９に押し当たり、上記すべり面がロックピン７１９上をすべることにより、ロックピン７１９の上に乗り上げる。その結果、カートリッジホルダ７００はロックされる。すなわち、カートリッジホルダ７００が前方に移動すると、ロックレバー７１２がロックピン７１９の上に乗り上げ、カートリッジホルダ７００は自動的にロックされる。
【００７７】
図示は省略するが、カートリッジホルダ７００には、ロックレバー７１２を前上がり方向に回転させる駆動機構が設けられている。つまり、ロックレバー７１２をロックピン７１９から解除するように回転させる駆動機構が設けられている。この駆動機構は、カートリッジホルダスイッチ４３によって操作され、カートリッジホルダ７００を待避位置に移動させるように操作されたときに作動する。
【００７８】
ただし、カートリッジホルダ７００のロックを手動で解除することも勿論可能である。例えば、カートリッジホルダ７００の上つまみ７０９と下つまみ７１１とをつまみ、それらを互いに近づけるように挟み込むことにより、ロックレバー７１２は回転し、ロックピン７１９から外れる。その際、コイルバネ７１７がカートリッジホルダ７００を後方に付勢するので、カートリッジホルダ７００は後方に移動し、カートリッジホルダ７００のロックは解除されることになる。
【００７９】
ホルダーガイド７４２には、カートリッジホルダ７００がホーム位置にあるか否かを検出するセンサ７２１が設けられている。センサ７２１は、カートリッジホルダ７００の側方に突出したリブ７０５を検出する光透過型又は光反射型の光学式センサからなっており、リブ７０５が所定の位置（カートリッジホルダ７００がホーム位置にあるときのリブ７０５の位置）にあるときに、センサ７２１のＯＮ／ＯＦＦ状態が切り替わる。
【００８０】
なお、プリンタ１には、記録動作の際にカートリッジホルダ７００がホーム位置にあるか否かを判定し、ホーム位置にないときには記録動作を強制的に中止する保護装置（図示せず）が設けられている。
【００８１】
図示は省略するが、キャリッジ軸２３の右端側には、記録ヘッド１０１からインクをパージさせるパージユニットが設けられている。パージユニットには、記録ヘッド１０１のヘッド面を覆うキャップと、記録ヘッド１０１のインクを吸引除去する吸引ポンプとが設けられている。
【００８２】
左側サイドフレーム２１の外側（左側）には、制御基板（図示せず）を縦置きの姿勢で収容する基板ブロック６０２が設置されている。
【００８３】
図８及び図２２に示すように、プラテン１０３の下面には、下方に突出する規制リブ１０５が設けられている。規制リブ１０５は、左右方向に複数個配列されている。これら規制リブ１０５は、給紙用トレイ２０６に収容された記録紙５０が多すぎる場合に、ケーシング１０に対する用紙カセット２００の挿入を規制するものである。この規制リブ１０５の存在により、記録紙５０を過剰に収容したままでは、用紙カセット２００を挿入することはできなくなる。そのため、結果として給紙用トレイ２０６の用紙量（総厚）は制限されることになる。
【００８４】
図８に示すように、各規制リブ１０５の前側は垂直面１０５ａとなり、後側は傾斜面１０５ｂとなっている。そのため、所定量以上の記録紙５０が収容されたまま用紙カセット２００を挿入しようとすると、記録紙５０の後端が規制リブ１０５の垂直面１０５ａに突き当たり、用紙カセット２００の挿入は阻止される。一方、用紙カセット２００を抜き出す際には、記録紙５０の前端が傾斜面１０５ｂと接触したとしても、記録紙５０は接触面１０５ｂ上を滑るので、記録紙５０がケーシング１０内に詰まるおそれは少ない。
【００８５】
次に、プリンタ１の動作について説明する。
【００８６】
記録を行う際には、まず、ユーザによって、用紙カセット２００の把手部２０５が前方に引き出される。その結果、第１〜第３トレイ２０１〜２０３が順次引き出され、排紙用トレイ２２０が展開する（図４参照）。
【００８７】
その状態で、プリンタ１に対して所定の記録指令信号が送信されると、給紙ローラ２９によって用紙カセット２００内の記録紙５０が取り出され、記録紙５０は搬送ローラ２４によって記録部１００に搬送される。そして、キャリッジ１０２の移動と共に記録ヘッド１０１が左右方向に移動しながらインクを吐出し、プラテン１０３上の記録紙５０に記録が行われる。記録後の記録紙５０は排紙ローラ２５によって搬送され、排紙用トレイ２２０上に排出される。
【００８８】
一方、記録動作時に紙詰まりが発生した場合には、ジャム検知装置によって紙詰まりの発生が通知される。この通知を受けたユーザは、詰まった記録紙５０を取り除く。
【００８９】
ジャム処理に際しては、ユーザがカバー３３を開いてケーシング１０の開口３０から手を挿入し、開口３０を通じて詰まった記録紙５０を取り除いてもよい。開口３０を通じてのジャム処理は、以下のようにして行われる。すなわち、ユーザはカバー３３を開いた後、カートリッジホルダスイッチ４３を押す。これにより、カートリッジホルダ７００はホーム位置から退避位置にまで後退し、開口３０の周りのスペースは大きくなる。そして、ユーザは開口３０から手を挿入し、詰まった記録紙５０を取り除いた後、カートリッジホルダスイッチ４３を押す。これにより、カートリッジホルダ７００は退避位置からホーム位置にまで前進し、ホーム位置にロックされる。
【００９０】
しかし、本プリンタ１は前面から操作される薄型のプリンタであり、カートリッジホルダ７００を後方に退避させたとしても、開口３０の周りのスペースを大きくすることには限界がある。そのため、記録紙５０の除去を容易かつ迅速に行うことが難しい場合もあり得る。特に、記録紙５０の先端がプラテン１０３の後方で詰まった場合には、開口３０を通じて行うジャム処理は、手間と時間がかかることが予想される。
【００９１】
ところが、本プリンタ１では、給紙用トレイ２０６の後壁２６０に突出片２５０が設けられているため、図２３に示すように、用紙カセット２００を前方に引き抜くことによって、詰まった記録紙５０を用紙カセット２００と共にケーシング１０の外部に排出することができる。すなわち、用紙カセット２００を前方に引き出す際に、詰まった記録紙５０の後端部５０ｅは突出片２５０によって保持されるので、少なくとも記録紙５０の後端部５０ｅは、用紙カセット２００と共に排出されることになる。したがって、ユーザは、排出された部分をゆっくりと引っ張ることによって、詰まった記録紙５０を容易かつ迅速に取り除くことができる。
【００９２】
なお、図１９に示すように、記録紙５０Ａの用紙サイズが小さい場合には、記録紙５０Ａは突出片２５０によって保持されることはない。しかし、用紙後端ガイド２５１は断面コ字状に形成されているので、記録紙５０Ａの後端部は用紙後端ガイド２５１によって保持される。そのため、用紙サイズが小さい場合であっても、用紙カセット２００を前方に引き出すことによって、詰まった記録紙５０を外部に排出することができる。したがって、用紙後端ガイド２５１も、記録紙５０の後端部５０ｅを保持する保持手段として機能する。
【００９３】
以上のように、本プリンタ１によれば、ケーシング１０の内部で記録紙５０が詰まったとしても、用紙カセット２００を前方に引き抜くことによって記録紙５０の後端部５０ｅが排出されるので、ユーザは記録紙５０を容易に除去することができる。そのため、ケーシング１０の前方に大きな開口を設けなくても、ジャム処理を容易に実行することができる。したがって、プリンタ１を薄型に構成することが可能となる。
【００９４】
ユーザが把手部２０５をつかんで排紙用トレイ２２０を引き出す際には、ロックレバー４５が用紙カセット２００をロックしているので、用紙カセット２００の全体が前方に引き抜かれることがなく、排紙用トレイ２２０を容易に展開することができる。
【００９５】
一方、用紙カセット２００における排紙用トレイ２２０を前方に引き出す際に生じる摩擦力は、用紙カセット２００をケーシング１０から引き抜く際に生じる摩擦力よりも大きく設定されている。そのため、ユーザはロックレバー４５のロックを解除した後、把手部２０５をつかんで前方に引っ張ることにより、排紙用トレイ２２０を展開させることなく用紙カセット２００の全体を容易に引き抜くことができる。したがって、給紙用トレイ２０６と排紙用トレイ２２０とが一体化してなる用紙カセット２００の利便性を向上させることができる。
【００９６】
なお、排紙用トレイ２２０を給紙用トレイ２０６にロックする第２ロック機構と、排紙用トレイ２２０を引き出す際に当該第２ロック機構を解除するロック解除機構とを設けるようにしてもよい。このような機構を設けることによっても、用紙カセット２００の利便性を向上させることが可能である。
【００９７】
排紙用トレイ２２０の後壁２６０に、用紙後端ガイド２５１を逃がす切り欠き２６１を設けることとしたので、用紙後端ガイド２５１と後壁２６０との重なり部分をなくすことができ、プリンタ１の前後方向長さを短くすることができる。
【００９８】
用紙カセット２００の挿入通路に規制リブ１０５を設けることとしたので、給紙用トレイ２０６に過剰な記録紙５０が収容されたまま用紙カセット２００を挿入することが防止される。したがって、薄型であるにも拘わらず、紙詰まりを生じにくくすることができる。
【００９９】
＜実施形態２＞
実施形態２に係るプリンタ１は、手差し給紙が可能となるように実施形態１のプリンタ１に改良を加えたものである。
【０１００】
図２４に示すように、本実施形態では、排紙ローラ２５の前方に下側用紙ガイド１０７が設けられ、拍車ローラ２７の前方に上側用紙ガイド１０６が設けられている。上側用紙ガイド１０６及び下側用紙ガイド１０７は、いずれも左右方向に細長い平板によって形成されている。
【０１０１】
下側用紙ガイド１０７の前方には、排紙ローラ２５Ａが設けられている。また、上側用紙ガイド１０６の前方には、排紙ローラ２５Ａと対向する拍車ローラ２８が設けられている。拍車ローラ２８の前方には、用紙センサ１５０が配置されている。
【０１０２】
給紙用トレイ２０６に予め収容された記録紙５０に記録が行われる場合には、記録紙５０は以下の用紙搬送径路に沿って搬送される。すなわち、記録紙５０は、搬送ローラ２４とピンチローラ２６との間を通り、次にプラテン１０３上を通過する。その後、排紙ローラ２５と拍車ローラ２７との間を通過し、次に、上側用紙ガイド１０６と下側用紙ガイド１０７との間を通過する。そして、排紙ローラ２５Ａと拍車ローラ２８との間を通過した後、排紙用トレイ２２０上に搬送される。
【０１０３】
一方、ユーザによる手差し給紙と、手差しされた記録紙５０への記録は、以下のようにして行われる（図２５参照）。
【０１０４】
まず、ユーザは手差しする記録紙５０の用紙サイズを入力する。そして、ユーザは、図２４に示すように、前方から記録紙５０を挿入して、記録紙５０を排紙ローラ２５Ａと拍車ローラ２８との間に突き当てる（ステップＳ１）。次に、用紙センサ１５０が記録紙５０を検知したか否かが判定され（ステップＳ２）、記録紙５０が検知されると、排紙ローラ２５，２５Ａ及び搬送ローラ２４は、記録動作時と反対の方向に回転する（ステップＳ３）。なお、記録紙５０が正確に挿入されない場合等では、ステップＳ２において記録紙５０は検知されず、排紙ローラ２５等は逆回転を行わない。
【０１０５】
ステップＳ４では、排紙ローラ２５，２５Ａ及び搬送ローラ２４が、記録紙５０の用紙サイズに応じた所定量だけ回転したか否かが判定される。なお、ここでの所定量とは、例えば、記録紙５０の進行方向前側の端部が排紙ローラ２５Ａに突き当てられた位置から、記録紙５０の進行方向後側の端部が搬送ローラ２４とピンチローラ２６との間に挟まれた状態のまま、プラテン１０３上の最後部に位置するまでの回転量である。排紙ローラ２５，２５Ａ及び搬送ローラ２４が所定量回転すると、ステップＳ５に進み、排紙ローラ２５，２５Ａ及び搬送ローラ２４が停止し、記録紙５０の搬送は終了する。その結果、図２６に示すように、記録紙５０は印刷開始位置に停止する。
【０１０６】
その後は、プリンタ１に対する印刷指示（ステップＳ６）に基づき、記録ヘッド１０１が記録紙５０に印刷を行い（ステップＳ７）、記録紙５０上に所定の画像等を形成して印刷が終了する（ステップＳ８）。
【０１０７】
なお、手差しした記録紙５０に記録を行う場合には、記録紙５０は搬送ローラ２４とピンチローラ２６との間に挟まれているので、給紙ローラ２９は回転させなくてもよい。ただし、給紙ローラ２９を回転させてもよいことは勿論である。
【０１０８】
上記実施形態では、手差し前にユーザが記録紙５０の用紙サイズを入力することとしたが、記録紙５０が印刷開始位置にあることを検知する検知手段を設けることにより、用紙サイズの入力を省略することも可能である。この場合、排紙ローラ２５，２５Ａ及び搬送ローラ２４は、記録紙５０が印刷開始位置にまで搬送されたことが検知されると、逆回転を停止する。
【０１０９】
上記実施形態では、記録紙５０を印刷開始位置で停止させることとしたが、記録紙５０の全体を給紙用トレイ２０６内にまで搬送してもよい。この場合、排紙ローラ２５，２５Ａ及び搬送ローラ２４は、最大の用紙サイズの記録紙５０を給紙用トレイ２０６に搬送するのに十分な量だけ回転させればよく、用紙サイズの入力は不要となる。また、記録紙５０が印刷開始位置にあることを検知する必要もない。
【０１１０】
上記実施形態では、手差しされた記録紙５０は、給紙用トレイ２０６から排紙用トレイ２２０に至る用紙搬送径路の全径路を逆向きに搬送され、印刷開始位置に到達していた。しかし、手差しされた記録紙５０を上記用紙搬送径路の一部又は全部を通らずに、別の径路を通って印刷開始位置又は給紙用トレイ２０６上に搬送するようにしてもよい。
【０１１１】
本実施形態によれば、記録紙５０の排出径路を手差し用の径路として利用し、また、専用の手差し用トレイが不要であるので、ケーシング１０の前面面積を小さく抑えることができる。したがって、プリンタ１の一層の薄型化や小型化を図ることができる。
【０１１２】
＜実施形態３＞
図２７に示すように、実施形態３のプリンタ１は、給紙用トレイ２０６の前側に用紙持ち上げ板８００を設ける一方、ケーシング１０のベース板金２６６に、用紙持ち上げ板８００を用紙カセット２００の側方から揺動させる揺動板金８０１を設けたものである。
【０１１３】
用紙持ち上げ板８００は、給紙用トレイ２０６の前側に配置されており、後側に設けられた左右方向に延びる回転軸（図示せず）の回りに揺動自在に構成されている。用紙持ち上げ板８００の右端には、上方に突出して右方に延びる突出片８０６が設けられている。
【０１１４】
ケーシング１０のベース板金２６６には、揺動板金８０１を揺動自在に支持する支持フレーム８０７が立設され、揺動板金８０１の後端部において水平方向に延びるように形成された軸８０２が、支持フレーム８０７に回転自在に支持されている。揺動板金８０１の前側は上向きに屈曲し、用紙持ち上げ板８００の突出片８０６を押し上げる押し上げ部８０８を形成している。図２８に示すように、押し上げ部８０８は、突出片８０６と接触している。このように、揺動板金８０１は、突出片８０６を持ち上げる上昇力付与部材を構成している。
【０１１５】
図２７に示すように、揺動板金８０１の押し上げ部８０８には、引っ張りばね８０９が取り付けられている。揺動板金８０１の押し上げ部８０８は、引っ張りばね８０９によって上向きに付勢されている。ケーシング１０内には、揺動板金８０１を押し下げる回転カム８０３が配置されている（なお、図２７では、回転カム８０３の取付構造は省略している。）。回転カム８０３は、モータ８０５に連結されている。図２９（ａ）及び（ｂ）に示すように、モータ８０５によって回転カム８０３が回転されると、回転カム８０３の回転に伴って揺動板金８０１は揺動する。
【０１１６】
図２９（ｂ）に示すように、回転カム８０３が揺動板金８０１を押し下げている状態では、揺動板金８０１は略水平姿勢をとる。その結果、用紙持ち上げ板８００も略水平な状態となる。一方、図２９（ａ）に示すように、回転カム８０３が揺動板金８０１を押し下げていない状態では、揺動板金８０１の押し上げ部８０８が引っ張りばね８０９によって上向きに引っ張られることにより、揺動板金８０１は前上がりに傾斜した姿勢をとる。その結果、押し上げ部が用紙持ち上げ板８００の突出片８０６を押し上げるので、用紙持ち上げ板８００は上向きに揺動し、給紙用トレイ２０６内の記録紙５０の先端側を持ち上げることになる。これにより、給紙ローラ２９は記録紙５０を取り出しやすくなる。
【０１１７】
本実施形態によれば、用紙持ち上げ板８００を揺動させる揺動板金８０１を用紙カセット２００の側方に設けることとしたので、プリンタ１のより一層の薄型化を図ることができる。すなわち、用紙持ち上げ板８００とベース板金２６６との間に揺動板金を設ける必要がないため、プリンタ１をより薄型化することが可能となる。
【産業上の利用可能性】
【０１１８】
以上説明したように、本発明は、インクジェット式のプリンタ等の記録装置について有用である。
【図面の簡単な説明】
【０１１９】
【図１】プリンタの斜視図である。
【図２】プリンタの設置状態を示す斜視図である。
【図３】プリンタの斜視図である。
【図４】プリンタの斜視図である。
【図５】プリンタの内部構造を示す斜視図である。
【図６】プリンタの平面図である。
【図７】図６の■ー■線断面図である。
【図８】図７のＡ部拡大図である。
【図９】図７のＢ部拡大図である。
【図１０】プリンタの平面図である。
【図１１】図１０の■■−■■線断面図である。
【図１２】図１１のＣ部拡大図である。
【図１３】ジャム検知装置の構成図である。
【図１４】用紙カセットの斜視図である。
【図１５】用紙カセットの斜視図である。
【図１６】排紙用トレイの表側の分解斜視図である。
【図１７】排紙用トレイの裏側の分解斜視図である。
【図１８】記録紙を収容した状態の用紙カセットの斜視図である。
【図１９】記録紙を収容した状態の用紙カセットの斜視図である。
【図２０】用紙カセットがロックされた状態のプリンタ内部の斜視図である。
【図２１】用紙カセットのロックが解除された状態のプリンタ内部の斜視図である。
【図２２】下方から見たプリンタの斜視図である。
【図２３】用紙カセットを引き抜いた状態を示す断面図である。
【図２４】実施形態２に係るプリンタの断面図である。
【図２５】手差し印刷のフローチャートである。
【図２６】実施形態２に係るプリンタの断面図である。
【図２７】実施形態３に係るプリンタ内部の斜視図である。
【図２８】揺動板金及び突出片の近傍の側面図である。
【図２９】揺動板金の動作を説明する図である。
【図３０】従来技術における用紙後端ガイドの近傍の断面図である。
【図３１】従来技術における揺動板金の近傍の断面図である。
【符号の説明】
【０１２０】
１      プリンタ
１０    ケーシング
５０    記録紙（記録媒体）
１０１  インクジェット式記録ヘッド
１０３  プラテン
１０５  規制リブ（突起）
２００  用紙カセット
２０６  給紙用トレイ（供給トレイ）
２２０  排紙用トレイ（排出トレイ）
２５０  突出片（保持手段，突部）
２５１  用紙後端ガイド（後端規制部材）
２６０  後壁（接触壁）
２６１  切り欠き
８０１  揺動板金（上昇力付与部材）
【図１】
2005049674.tif 000003
【図２】
2005049674.tif 000004
【図３】
2005049674.tif 000005
【図４】
2005049674.tif 000006
【図５】
2005049674.tif 000007
【図６】
2005049674.tif 000008
【図７】
2005049674.tif 000009
【図８】
2005049674.tif 000010
【図９】
2005049674.tif 000011
【図１０】
2005049674.tif 000012
【図１１】
2005049674.tif 000013
【図１２】
2005049674.tif 000014
【図１３】
2005049674.tif 000015
【図１４】
2005049674.tif 000016
【図１５】
2005049674.tif 000017
【図１６】
2005049674.tif 000018
【図１７】
2005049674.tif 000019
【図１８】
2005049674.tif 000020
【図１９】
2005049674.tif 000021
【図２０】
2005049674.tif 000022
【図２１】
2005049674.tif 000023
【図２２】
2005049674.tif 000024
【図２３】
2005049674.tif 000025
【図２４】
2005049674.tif 000026
【図２５】
2005049674.tif 000027
【図２６】
2005049674.tif 000028
【図２７】
2005049674.tif 000029
【図２８】
2005049674.tif 000030
【図２９】
2005049674.tif 000031
【図３０】
2005049674.tif 000032
【図３１】
2005049674.tif 000033
【手続補正書】
【提出日】平成15年7月30日(2003.7.30)
【手続補正１】
【補正対象書類名】明細書
【補正対象項目名】０１１９
【補正方法】変更
【補正の内容】
【０１１９】
【図１】プリンタの斜視図である。
【図２】プリンタの設置状態を示す斜視図である。
【図３】プリンタの斜視図である。
【図４】プリンタの斜視図である。
【図５】プリンタの内部構造を示す斜視図である。
【図６】プリンタの平面図である。
【図７】図６のＶＩＩ−ＶＩＩ線断面図である。
【図８】図７のＡ部拡大図である。
【図９】図７のＢ部拡大図である。
【図１０】プリンタの平面図である。
【図１１】図１０のＸＩ−ＸＩ線断面図である。
【図１２】図１１のＣ部拡大図である。
【図１３】ジャム検知装置の構成図である。
【図１４】用紙カセットの斜視図である。
【図１５】用紙カセットの斜視図である。
【図１６】排紙用トレイの表側の分解斜視図である。
【図１７】排紙用トレイの裏側の分解斜視図である。
【図１８】記録紙を収容した状態の用紙カセットの斜視図である。
【図１９】記録紙を収容した状態の用紙カセットの斜視図である。
【図２０】用紙カセットがロックされた状態のプリンタ内部の斜視図である。
【図２１】用紙カセットのロックが解除された状態のプリンタ内部の斜視図である。
【図２２】下方から見たプリンタの斜視図である。
【図２３】用紙カセットを引き抜いた状態を示す断面図である。
【図２４】実施形態２に係るプリンタの断面図である。
【図２５】手差し印刷のフローチャートである。
【図２６】実施形態２に係るプリンタの断面図である。
【図２７】実施形態３に係るプリンタ内部の斜視図である。
【図２８】揺動板金及び突出片の近傍の側面図である。
【図２９】揺動板金の動作を説明する図である。
【図３０】従来技術における用紙後端ガイドの近傍の断面図である。
【図３１】従来技術における揺動板金の近傍の断面図である。